(57)【要約】      （修正有）【課題】簡単な構成で、記録媒体の特性に応じて、記録媒体を転写ローラと像担持体と間に押圧したり、転写ローラと像担持体との間に一定の隙間を形成したり、その形成時に生じる隙間の微調整を行うことができる接離機構を提供する。【解決手段】像担持体に現像された現像剤像を搬送する現像剤搬送手段Ｅ２０と、転写ローラＢに接触し、現像剤搬送手Ｅ２０に搬送された現像剤像を転写する記録媒体Ｐと、転写ローラＢが取り付けられた取付部材１００と、記録媒体Ｐと現像剤搬送手Ｅ２０との間隔を所定距離となるように転写ローラＢを配置の高さに設定する第一調整手段２００と、取付部材１００に取り付けられ、転写ローラＢの配置位置の微調整を行う第二調整手段３００と、取付部材１００の動きを規制する規制手段４００と、第一調整手段２００と取付部材１００とを連結する連結手段５００とからなることを特徴とする。【選択図】図２
2014085376.tif 000002
【特許請求の範囲】
【請求項１】
像を担持する像担持体と、
転写ローラに接触し、像担持体に形成された像を転写する記録媒体と、
前記転写ローラが取り付けられた取付部材と、
前記記録媒体と前記像担持体との間隔を所定距離となるように、前記転写ローラの配置高さを設定する第一調整手段と、
前記取付部材に取り付けられ、前記転写ローラの配置位置の微調整を行う第二調整手段と、
前記取付部材の動きを規制する規制手段と、
前記第一調整手段と取付部材とを連結する連結手段とを有し、
前記連結手段は、略三角形形状からなり、該連結手段の頂部と取付部材の頂部を軸支する第一ピンと、第一調整手段の一端を連結する第二ピンと、前記取付部に連結する第三ピンと、前記転写ローラを前記像担持体側に付勢させる付勢手段とからなることを特徴とする接離機構。
【請求項２】
前記第一調整手段は、第一駆動手段と、該第一駆動手段の回転力を直線運動に変換する変換手段とからなり、
前記変換手段は、連結手段と連結されていることを特徴とする請求項１記載の接離機構。
【請求項３】
前記変換手段は、一端が第一駆動手段に連結され、他端が前記連結手段に連結されたロッドであることを特徴とする請求項１または２記載の接離機構。
【請求項４】
前記第一駆動手段は、第一駆動部と、第一駆動部の駆動力を、前記変換手段に伝達する第一伝達部とからなり、
前記第一伝達手段は、前記第一駆動部に接続された第一駆動軸と、該第一駆動軸の回転を伝達する第一伝達手段と、該第一伝達手段に設けられた前記ロッドの一端に連結された連結軸とからなり、
前記第一伝達手段は、薄板の円盤部材からなり、
前記連結軸は、前記第一駆動軸から見て偏心した位置に配置され、
前記第一伝達手段と前記ロッドと前記連結軸とにより、リンク機構が構成されていることを特徴とする請求項２または３記載の接離機構。
【請求項５】
前記第二調整手段は、前記取付部材の一端側に取り付けられた第二駆動手段と、該第二駆動手段の駆動力を伝達する第二伝達手段とからなり、
前記第二駆動手段は、第二駆動源と第二駆動軸とからなり、
前記第二伝達手段は、前記第二駆動軸に連結した駆動ローラと、前記転写ローラに対して偏心して配置された従動ローラと、駆動ローラと従動ローラとに張架されたベルトとからなり、
前記従動ローラの回転により、前記転写ローラに接離させて、前記転写ローラの配置位置の微調整を行うことを特徴とする請求項４記載の接離機構。
【発明の詳細な説明】
【技術分野】
【０００１】
本発明は、表面が凹凸を有する記録媒体、特に、紙、フィルムまたは天然や人造の布帛、織物、不織物等と現像剤像担持体のベルトとの間隔を所定距離となるように転写ローラを配置位置に設定する接離機構に関するものである。
【背景技術】
【０００２】
紙、フィルムまたは天然や人造の布帛、織物、不織物、編み物（ニット）等の表面に凹凸を有する記録媒体に、画像を記録する装置として、特許文献１、２および３がある。
【０００３】
特許文献１、２は、特許文献１の図２、特許文献２の図1に示すように、予め、記録媒体となる布帛が巻きつけられた巻付けローラと、巻付けローラから繰出された布帛を巻き取る巻取りローラとにより、布帛をインクジェットヘッドに搬送して、布帛にインクを吐出して、布帛に画像を形成するものである。
【０００４】
特許文献１の構成は、インクを記録媒体に塗布する構成であるため、インクジェットヘッドと記録媒体との間に隙間が必要となる。また、記録媒体の特性、例えば、編み物（ニット）のように凹凸があるものは、記録媒体の表面上に色むらや歪んだ画像が出力されてしまい、品質の低下が生じてしまうという問題があった。
【０００５】
このため、特許文献２の図３に示すように、凹凸が生じないように記録媒体を均一に引っ張る構成がある。しかし、記録媒体が幅広の場合には、巻出しローラおよび巻取りローラが幅方向に長くなるため、巻出しローラおよび巻取りローラの撓み、搬送時に生じる記録媒体の伸縮が発生し、これらを調整することが難しい。
【０００６】
この問題を解決するために、特許文献３がある。特許文献３の構成は、第１２図および第１３図に示すように、レ−ザ発振器１よりのレ−ザビ−ム１２はハ−フミラ−１０１によって２本のビ−ムに分割され、一方のみが変調器３でコンピユ−タからの画像情報出力により変調され、固定鏡１０２によって光路を曲げられた他方のビ−ムと回転鏡５の同一面で反射され各々検出用ビ−ム１０３と露光用ビ−ム１２として走査される。
【０００７】
検出面ビ−ム１０３はさらに固定鏡１０４によって複数個のビ−ム検出器１８の受光方向に曲げられる。検出用ビ−ム１０３は各ビ−ム位置検出器１８によりビ−ム位置信号となり、変調器３への入力信号のタイミングを矯正し質のよい静電潜像を形成し、これによりトナー像を布帛上に転写しこれを固着させる。
【０００８】
【特許文献１】特開平７−１０１１２１号公報
【特許文献２】特開２００９−２３５５８８号公報
【特許文献３】特開昭５２−１８９８３号公報
【発明の開示】
【発明が解決しようとする課題】
【０００９】
しかし、特許文献３は、第１８図に示すように、転写ローラ（１１７、１１７´）により、記録媒体をドラム（Ｄ、Ｄ´）に押圧する構成であるため、記録媒体の特性に対応して、画像出力の品質を一定にすることが難しい。
【００１０】
例えば、記録媒体が、サテンやシルクのように表面が平滑なものは、転写ローラ（１１７、１１７´）に記録媒体をドラム（Ｄ、Ｄ´）に押圧することが品質を高められる。
【００１１】
さらに、記録媒体が、編み物（ニット）のように凹凸があるものは、転写ローラ（１１７、１１７´）とドラム（Ｄ、Ｄ´）との間に記録媒体を押圧した場合、記録媒体の凹部分が隙間となって、その部分の現像剤の転写（記録媒体に現像剤が付着する状態）が悪くなる。この結果、記録媒体の凹部部分は鮮明さが欠け、記録媒体に転写された画像の品質が低下してしまう。
【００１２】
このような記録媒体は、ドラム（Ｄ、Ｄ´）から記録媒体の凹部に現像剤を埋め込んで、記録媒体表面上に現像剤を均一に転写して、問題を解決するという点から、転写ローラ（１１７、１１７´）とドラム（Ｄ、Ｄ´）との間に一定の隙間を形成することが望ましい。
【００１３】
このため、記録媒体の特性に応じて、記録媒体を転写ローラと像担持体と間に押圧したり、転写ローラと像担持体との間に一定の隙間を形成したりする構成が必要となる。また、この隙間は、記録媒体の特性によって変化しやすく、僅かな隙間の変化で、転写効率が変動してしまう。このため、隙間の微調整も必要となる。
【課題を解決するための手段】
【００１４】
上記の問題を解決するために、本発明は、請求項１記載の発明は、像を担持する像担持体と、転写ローラに接触し、像担持体に形成された像を転写する記録媒体と、転写ローラが取り付けられた取付部材と、記録媒体と像担持体との間隔を所定距離となるように転写ローラを配置位置に設定する第一調整手段と、取付部材に取り付けられ、転写ローラの配置位置の微調整を行う第二調整手段と、取付部材の動きを規制する規制手段と、第一調整手段と取付部材とを連結する連結手段とを有し、連結手段は、略三角形形状からなり、該連結手段の頂部と取付部材の頂部を軸支する第一ピンと、第一調整手段の一端を連結する第二ピンと、取付部に連結する第三ピンと、転写ローラを像担持体側に付勢させる付勢手段とからなることを特徴とする。
【００１５】
また、請求項２記載の発明は、第一調整手段は、第一駆動手段と、該第一駆動手段の回転力を直線運動に変換する変換手段とからなり、変換手段は、連結手段と連結されていることを特徴とする。次に、請求項３記載の発明は、変換手段は、一端が第一駆動手段に連結され、他端が前記連結手段に連結されたロッドであることを特徴とする。
【００１６】
さらに、請求項４記載の発明は、第一駆動手段は、第一駆動部と、第一駆動部の駆動力を、変換手段に伝達する第一伝達部とからなり、第一伝達手段は、第一駆動部に接続された第一駆動軸と、該第一駆動軸の回転を伝達する第一伝達手段と、該第一伝達手段に設けられたロッドの一端に連結された連結軸とからなり、第一伝達手段は、薄板の円盤部材からなり、連結軸は、第一駆動軸から見て偏心した位置に配置され、第一伝達手段とロッドと連結軸とにより、リンク機構が構成されていることを特徴とする。
【００１７】
また、さらに、請求項５記載の発明は、第二調整手段は、取付部材の一端側に取り付けられた第二駆動手段と、該第二駆動手段の駆動力を伝達する第二伝達手段とからなり、第二駆動手段は、第二駆動源と第二駆動軸とからなり、第二伝達手段は、第二駆動軸に連結した駆動ローラと、転写ローラに対して偏心して配置された従動ローラと、駆動ローラと従動ローラとに張架されたベルトとからなり、従動ローラの回転により、転写ローラに接離させて、転写ローラの配置位置の微調整を行うことを特徴とする。
【発明の効果】
【００１８】
本発明は、転写ローラに接触し、像担持体に形成された像を転写する記録媒体と、転写ローラが取り付けられた取付部材と、記録媒体と像担持体との間隔を所定距離となるように転写ローラを配置位置に設定する第一調整手段と、取付部材に取り付けられ、転写ローラの配置位置の微調整を行う第二調整手段と、取付部材の動きを規制する規制手段と、第一調整手段と取付部材とを連結する連結手段とからなる。
【００１９】
さらに、連結手段を、略三角形形状とし、該連結手段の頂部と取付部材の頂部を軸支する第一ピンと、第一調整手段の一端を連結する第二ピンと、取付部に連結する第三ピンと、転写ローラを像担持体側に付勢させる付勢手段とにより構成することにより、簡単な構成で、記録媒体の特性に応じて、記録媒体を転写ローラと像担持体と間に押圧したり、転写ローラと像担持体との間に一定の隙間を形成したりすることができる。
【００２０】
また、第二調整手段を、取付部材の一端側に取り付けられた第二駆動手段と、該第二駆動手段の駆動力を伝達する第二伝達手段とから構成する。第二駆動手段を第二駆動源と第二駆動軸とし、第二伝達手段は、第二駆動軸に連結した駆動ローラと、転写ローラに対して偏心して配置された従動ローラと、駆動ローラと従動ローラとに張架されたベルトとからなる。この従動ローラの回転により、転写ローラに接離させて、転写ローラの配置位置の微調整を行うことにより、僅かな隙間の変化に対応して、隙間の微調整を行うことができる。
【図面の簡単な説明】
【００２１】
【図１】本発明の接離機構を適用した装置の概略図。
【図２】図１の矢視を拡大図であり、本発明の接離機構の概略図。
【発明を実施するための最良の形態】
【００２２】
以下、本発明の実施の形態を図面に基づいて説明する。図１に、本発明の接離機構を適用した画像形成装置の概略図を示す。
【００２３】
この装置は、繰出部Ｃにより記録媒体Ｐを繰り出し、繰り出された記録媒体Ｐを搬送部Ｄにより画像形成部Ｅに送って、次いで、転写部Ｉにより記録媒体Ｐに画像を転写し、その後、記録媒体Ｐに転写された画像を定着部Ｈで定着して、巻取部Ｇにより記録媒体Ｐを巻き取るものである。記録媒体Ｐは、紙、フィルムまたは天然や人造の布帛、織物、不織物、編み物（ニット）等の表面に凹凸を有するものである。
【００２４】
繰出部Ｃと定着部Ｈと間は、記録媒体Ｐの引っ張り力が一定となるように調整されている。具体的には、繰出部Ｃに、一対のローラのグリップ力（Ｆ）よりも強い力（Ｆ１）が加わるようになると、搬送される記録媒体Ｐが定着部Ｈ側に引っ張られ、この記録媒体Ｐに強いテンションが作用するように調整されている。
【００２５】
この状態を、検知手段（図示せず）を介して制御手段（図示せず）が検知すると、制御手段は、繰出部Ｃの記録媒体Ｐの繰出し量（速度）を多く（速く）することにより、記録媒体Ｐの引っ張り力を一対のローラのグリップ力（ｆ）となるように構成されている。
【００２６】
巻取部Ｇは、画像が定着された記録媒体Ｐを巻き戻すものである。また、繰出部Ｃと同様に、巻取部Ｇも、定着部Ｈの記録媒体Ｐの引っ張り力が一定となるように構成されている。
【００２７】
この場合、巻き戻される記録媒体Ｐに強いテンションが作用し、一対のローラのグリップ力（ｆ）よりも強い力（ｆ２）が加わるようになると、繰出部Ｃの記録媒体Ｐの巻戻し量（速度）を少なく（遅く）することにより、記録媒体Ｐの繰出部Ｃの記録媒体Ｐの巻戻し力を一対のローラのグリップ力（ｆ）となるように構成されている。このように、記録媒体Ｐの搬送は、定着部Ｈのグリップ力、搬送速度を基準として、繰出部Ｃおよび巻取部Ｇの調整が行われている。
【００２８】
搬送部Ｄは、繰出部Ｃから繰出された記録媒体Ｐを、転写部Ｉおよび定着部Ｈに搬送するものである。搬送部Ｄは、ループ状のベルトＤ１０（無端ベルト）と、駆動ユニットＤ２０と、従動ローラＤ３０とからなる。
【００２９】
搬送部Ｄは、図示しない筐体に取り付けられ、駆動ユニットＤ２０と従動ローラＤ３０とにより、ベルトＤ１０に張力が張った状態で架け渡されている。駆動ユニットＤ２０は、二つのローラからなり、一方のローラ側には後に述べる吸着部Ｄ４０が設けられている。
【００３０】
ベルトＤ１０には、吸着部Ｄ４０と除電部Ｄ５０とが配置されている。吸着部Ｄ４０は、所定の電圧で印加して、記録媒体Ｐを搬送部ＤのベルトＤ１０に吸着するものであり、繰出部Ｃ側に配置されている。吸着部Ｄ４０は、記録媒体ＰをベルトＤ１０上に保持させた状態で、画像形成部Ｅおよび定着部Ｈ側に、記録媒体Ｐを移動させるとともに、ベルトＤ１０上で記録媒体Ｐの皺を延ばす。
【００３１】
除電部Ｄ５０は、画像（現像剤像担持体Ｅ２０に形成された現像剤像）が転写された記録媒体Ｐを定着部Ｈに搬送される際に、ベルトＤ１０から記録媒体Ｐが分離しやすいようにするとともに、この画像が壊れないように除電を行うものである。
【００３２】
このため、除電部Ｄ５０は、ベルトＤ１０に吸着した記録媒体ＰがベルトＤ１０から分離する部分、つまり、従動ローラＤ３０の上方に配置されている。除電部Ｄ５０は、コロナ帯電器であり、コロナワイヤＤ５１とコロナワイヤＤ５１を覆うコロナハウスとＤ５２からなり、所定のバイアスが印加されている。
【００３３】
画像形成部Ｅは、記録媒体Ｐに転写する画像を形成するものである。画像形成部Ｅは、各色に対応した画像形成手段Ｅ１０と、各画像形成手段Ｅ１０で形成された像を転写部Ｉ側に搬送する現像剤像担持体Ｅ２０とからなる。
【００３４】
画像形成手段Ｅ１０は、上から順に、イエローＹ、マゼンタＭ、シアンＣ、ブラックＢＫが並列に配置されている。像担持体Ｅ１１の周囲に、像担持体Ｅ１１上の残留電荷を除去する除電手段（図示せず）と、像担持体Ｅ１１の表面を特定極性に帯電する帯電手段（図示せず）、帯電された像担持体Ｅ１１の静電潜像を形成する露光手段（図示せず）と、像担持体Ｅ１１の表面に形成された静電潜像を現像剤により現像する現像装置Ｅ１２とからなる。
【００３５】
各色のトナーの供給はトナーカートリッジにより行われる。なお、この実施の形態では、各色の混色が生じたとしても、余り目立たないようにするために、現像剤の搬送方向の順に、垂直に、イエローＹ、マゼンタＭ、シアンＣ、ブラックＢＫ順に配置されているが、これに限定されることはなく、ブラックＢＫ、シアンＣ、マゼンタＭ、イエローＹとしてもよい。
【００３６】
現像剤像担持体Ｅ２０は、像担持体Ａに相当するものでああり、各色の画像形成手段Ｅ１０で形成された現像剤像を記録媒体Ｐ側に搬送するものである。現像剤像担持体Ｅ２０は、ループ状のベルトＥ２１（無端ベルト）と、駆動ユニットＥ２２と、従動ローラＥ２３と、近接ローラＥ２４とからなる。
【００３７】
駆動ローラＥ２２と従動ローラＥ２３と近接ローラＥ２４とによって、ベルトＥ２１は、張力がかかった状態で掛け渡されている。ベルトＥ２１内には、各色の画像形成手段Ｅ１０（Ｙ、Ｍ、Ｃ、Ｂｋ）に対応した転写手段（Ｙ、Ｍ、Ｃ、Ｂｋ）が配置されている。
【００３８】
駆動ユニットＥ２０は、四つのローラからなる。近接ローラＥ２４は、駆動ユニットＥ２０の二つのローラ間に設けられ、ベルトＥ２１に各色の転写手段（Ｙ、Ｍ、Ｃ、Ｂｋ）によりされた現像剤像が記録媒体Ｐに転写されやすいように、転写部Ｉ側に突出している。
【００３９】
転写部Ｉは、現像剤像担持体Ｅ２０に転写された現像剤像を記録媒体Ｐに転写するものであり、図示しない筐体に取り付けられている。転写部Ｉは、転写ローラＢと、この転写ローラＢを支持する本発明の接離機構とからなる。
【００４０】
転写ローラＢは、ベルトＤ１０の裏面に常時接触して、記録媒体Ｐを現像剤像担持体Ｅ２０のベルトＥ２１に近接し、記録媒体Ｐに、直流成分または直流成分に交流成分を重畳した転写バイアスを印加する電源７００に接続されている。
【００４１】
図２に示すように、接離機構は、一対の組からなり、取付部材１００と第一調整手段２００と第二調整手段３００と規制手段４００と連結手段５００とからなる。
【００４２】
取付部材１００は、薄板状の部材からなり、中央の頂部１１０が軸支され、頂部１１０から見た一端が転写ローラＢに連結され、他端が後に述べる第二調整手段３００の第二駆動手段３１０が取り付けられている。さらに、取付部材１００の一端側には、後に述べる規制手段４００に当接する当接部１２０が設けられている。
【００４３】
第一調整手段２００は、後に述べる第二調整手段３００を所定の高さに移動するものである。
【００４４】
第一調整手段２００は、第一駆動手段２１０と、この第一駆動手段２１０の回転力を直線運動に変換する変換手段２２０とからなる。さらに、第一駆動手段２１０は、第一駆動手段２１０に接続された第一駆動軸２３０と、この第一駆動軸２３０の回転を伝達する第一伝達手段２４０とからなる。
【００４５】
第一伝達手段２４０は薄板の円盤部材からなり、偏心した位置に、第一駆動軸２３０に取り付けられている。第一伝達手段２４０には、後に述べる変換手段２２０が設けられている。
【００４６】
変換手段２２０は、先に述べたように、第一駆動手段２１０の駆動を第一伝達手段２４０に伝達し、第一伝達手段２４０の回転を直線運動に変換するものである。変換手段２２０は、一端が第一駆動手段２１０に連結され、他端が連結手段５００に連結されたロッドからなる。
【００４７】
この第一伝達手段２４０とロッド２２０と第一駆動軸２３０とにより、リンク機構が構成される。この構成により、第一駆動軸２３０を介して第一伝達手段２４０を回転させると、変換手段２２０が矢印ａ方向にシフトし、取付部材１００の自重および付勢手段６００の付勢力により、頂部１１０を中心として矢印ｂ方向に取付部材１００が揺動し、第二調整手段３００が所定の高さに移動する。なお、この第二調整手段３００の移動は、規制手段４００に当接部１２０が当接するまで行われる。
【００４８】
この状態から、さらに、回転すると（図２の状態に戻る）と、変換手段２２０が矢印ａ方向とは逆方向にシフトして、変換手段２２０の他端が連結手段５００を突き上げて、規制手段４００と当接部１２０との当接が解除し、第二調整手段３００を所定の高さから下方に移動する。
【００４９】
連結手段５００は、薄板状の部材を略三角形形状にしたものであり、頂部５１０は第一ピン５１１により取付部材１００の頂部１１０と一緒に軸支され、一端は第二ピン５１２により変換手段２２０の他端に連結され、他端は第三ピン５１３により取付部材１００に連結されている。
【００５０】
連結手段５００には、取付部材１００を近接ローラＥ２４側に付勢する付勢手段６００を収容する収容部５２０が設けられている。また、収容部５２０と向かい合う取付部材１００位置には付勢手段６００を受ける受台１３０が設けられている。
【００５１】
付勢手段６００は、後に述べる第二調整手段により転写ローラＢを所定位置となるように設定した後、第一調整手段２００により、取付部材１００を所定の高さに移動した時、またはベルトＤ１０に記録媒体を搬送時に生じるショックを吸収するものである。
【００５２】
第二調整手段３００は、転写ローラＢの配置位置、すなわち記録媒体Ｐと現像剤像担持体Ｅ２０のベルトＥ２１との間隔を所定距離の微調整を行うものであり、第二駆動手段３１０と第二伝達手段３２０とからなる。
【００５３】
第二調整手段３００は、取付部材１００の一端側に取り付けられた第二駆動手段３１０と、第二駆動手段３１０の駆動力を伝達する第二伝達手段３２０とからなる。第二駆動手段３１０は、第二駆動源３１１と第二駆動軸３１２とからなり、第二伝達手段３２０の駆動ローラ３２１に直結されている。
【００５４】
第二伝達手段３２０は、第二駆動軸３１２に連結した駆動ローラ３２１と、転写ローラＢに連結した従動ローラ３２２と、駆動ローラ３２１と従動ローラ３２２とに張架されたベルト３２３とからなる。
【００５５】
従動ローラ３２２は転写ローラＢに取り付けられている。従動ローラ３２２の偏心した位置に連結軸３３０が設けられている。転写ローラＢは連結軸３３０に軸支されている。この構成により、従動ローラ３２２の回転に伴い、転写ローラＢが上下に変位（矢印ｃ）し、記録媒体Ｐと現像剤像担持体Ｅ２０のベルトＥ２１との間隔の微調整が行われる。
【００５６】
さらに、ベルトの張架はテンションローラで調整されている。テンションローラは、取付部材１００に設けられた調整溝１４０に沿って移動させて、ベルトの張架の調整を行う。
【００５７】
なお、記録媒体Ｐと現像剤像担持体Ｅ２０のベルトとの間隔は、図示しない検知手段により検知し、この検知結果に基づいて、第二調整手段３００を作動させて、この間隔を所定距離となるように調整する。また、記録媒体Ｐと現像剤像担持体Ｅ２０のベルトＥ２１との間隔は、記録媒体Ｐの特性に応じて決められている。
【００５８】
以上の構成のもと、本発明の接離機構の動作を説明する。なお、この動作は、第二調整手段３００、第一調整手段２００の順で作動する。
【００５９】
先ず、第二駆動源３１１を作動させて、第二駆動軸３１２を回転させる。この回転は、駆動ローラ３２１に伝達され、ベルトが矢印ｄ方向に回転する。さらに、ベルトの回転に伴って従動ローラ３２２が回転する。
【００６０】
駆動ローラ３２２は、転写ローラＢに偏心した状態で直結しているため、転写ローラＢは、矢印方向ｃにシフトする。この動作により、転写ローラＢの所定位置の設定が完了する。
【００６１】
この設定は、後に述べる第一調整手段２００により、頂部１１０を支点として矢印ｂ方向に、取付部材１００が揺動した時に、転写ローラＢが現像剤像担持体Ｅ２０のベルトＥ２１に近づくまたは当接（押圧）する方向にシフトするようになっている。
【００６２】
次いで、第一駆動手段２１０を駆動して、第一駆動軸２３０の回転を第一伝達手段２４０に伝達する。第一伝達手段２４０に伝達された第一駆動軸２３０の回転は、変換手段２２０に伝達される。この時、変換手段２２０（ロッド）の一端が、第一駆動軸２３０から見て偏心した位置に軸支されているため、リンク機構として作動する。
【００６３】
第一伝達手段２４０が矢印方向に回転すると、変換手段２２０が所定の位置から矢印ａ方向（前進）または逆矢印ａ方向（後退）する。
【００６４】
この動作により、第一伝達手段２４０が所定の位置から矢印ａ方向（前進）した場合、変換手段２２０は矢印ａ方向に作動し、規制手段４００に当接部１２０が突き当たるまで、取付部材１００は矢印ｂ方向に揺動し、所定の高さまで第二調整手段３００（取付部材１００）が移動する。
【００６５】
この時、規制手段４００に当接部１２０が突き当たった時に生じるショックは、付勢手段６００により吸収される。
【００６６】
さらに、変換手段２２０が所定の位置から逆矢印ａ方向（後退）した場合、頂部１１０を支点として取付部材１００が逆矢印ｂ方向（転写ローラＢが現像剤像担持体Ｅ２０のベルトＥ２１から離れる方向）に揺動する。
【００６７】
以上のように、第一調整手段２００と第二調整手段３００という簡単な構成で、記録媒体Ｐの特性に応じて、記録媒体Ｐを転写ローラＢと現像剤像担持体Ｅ２０のベルトＥ２１と間に押圧したり、転写ローラＢと現像剤像担持体Ｅ２０のベルトＥ２１との間に一定の隙間を形成したりすることができる。
【００６８】
特に、第二調整手段３００により、ベルトＤ１０に記録媒体Ｐを載置したした時に生じるベルトＤ１０の沈みや、表面の凹凸の差がある記録媒体Ｐを搬送した場合に生じる振動を付勢手段６００により吸収することにより、記録媒体Ｐの特性に応じて生じる僅かな変化に対応して、隙間の微調整を行うことができる。
【符号の説明】
【００６９】
１００  取付部材
２００  第一調整手段
３００  第二調整手段
４００  規制手段
５００  連結手段
Ａ  像担持体（Ｅ２０  現像剤像担持体）
Ｂ  転写ローラ
Ｐ  記録媒体
【図１】
2014085376.tif 000003
【図２】
2014085376.tif 000004